(57)【要約】  【課題】  根掛りをした釣用錘の回収を容易、且つ確実に行う。  【解決手段】  上部材２と、当該上部材２に対して上下方向にスライドして係脱可能に係合された複数の分割部材からなる下部材３とが、連結部材４の付勢力により係合状態が保持され、前記上部材２に対する前記付勢力に抗する引っ張り力により、上部材２と下部材３との係合を解除することで、下部材３を複数の分割部材として分割する。  【選択図】  図１
2007282540.tif 000002
【特許請求の範囲】
【請求項１】
ライン又は連結具等に連結される上部材と、当該上部材に対して上下方向に係脱可能に係合されるとともに、根掛りをさせる下部材とを備え、当該下部材は、径方向に分割された複数の分割部材からなり、当該分割部材は、夫々前記上部材に対して上下方向にスライドして係脱可能に係合するとともに、この係合状態を保持する方向に付勢力が作用する連結部材により連結され、前記上部材に対する前記付勢力に抗する引っ張り力により、上部材が下部材に対する係合が解除されるとともに、下部材が複数の分割部材として分割される釣用錘。
【請求項２】
前記下部材に最大径部を有し、当該最大径部から上部材の先端まで先細り形状となるように形成されている請求項１に記載の釣用錘。
【請求項３】
前記最大径部の位置が下部材の上下方向の中途部である請求項２に記載の釣用錘。
【請求項４】
上部材の下端に、下部材を上下方向にのみ係脱し、径方向には係脱不能に保持する係合部材を有し、前記各分割部材には、当該各分割部材を合わせて下部材に形成されるとき、前記係合部材に適合状に係合する形状の係合溝を形成してなる請求項１乃至請求項３いずれか１項に記載の釣用錘。
【請求項５】
前記連結部材が、上部材と各分割部材とに亘って掛け渡された引っ張りばねである請求項１乃至請求項４いずれか１項に記載の釣用錘。
【請求項６】
前記各分割部材、又は各分割部材と上部材の双方に、引っ張りばねが収納される収納溝を設けている請求項５に記載の釣用錘。
【発明の詳細な説明】
【技術分野】
【０００１】
本発明は、釣用錘に関し、詳しくは、根掛りした際の回収が容易な釣用錘に関する。
【背景技術】
【０００２】
海底又は海底近くの深場の魚、あるいは根周りに生息する魚を釣る際には、釣用錘の根掛りの発生が多く、その根掛りによる釣用錘のロストが生じると、仕掛けを作り直さなければならないため極めて面倒であるとともに、仕掛けを作り直している間に魚の群れが移動してしまって最も釣れるタイミングを逃してしまう可能性がある上に、釣用錘が海底に残ったり、ラインが切れる位置によっては、相当長いラインが海底に残ったりして、海底に残る釣用錘やラインによって自然環境に悪影響を与える要因となっていた。
【発明の開示】
【発明が解決しようとする課題】
【０００３】
本出願人は、根掛りした釣用錘を回収するという観点から鋭意研究を重ねた結果、本願発明に至ったものである。
尚、本発明に関連する先行技術文献情報については、本出願人の知り得る範囲において存在しない。
【０００４】
本発明は、根掛りをした釣用錘の回収を容易、且つ確実に行うことを課題とし、この課題を解決した釣用錘の提供を目的とする。
【課題を解決するための手段】
【０００５】
前記目的を達成するため、本発明が採用した第１発明は、ライン又は連結具等に連結される上部材と、当該上部材に対して上下方向に係脱可能に係合されるとともに、根掛りをさせる下部材とを備え、当該下部材は、径方向に分割された複数の分割部材からなり、当該分割部材は、夫々前記上部材に対して上下方向にスライドして係脱可能に係合するとともに、この係合状態を保持する方向に付勢力が作用する連結部材により連結され、前記上部材に対する前記付勢力に抗する引っ張り力により、上部材が下部材に対する係合が解除されるとともに、下部材が複数の分割部材として分割される釣用錘にした。
【０００６】
本発明に係る釣用錘は、ラインの最下端に連結する胴突き用の錘、天秤等の連結具に着脱可能に連結する天秤用の錘、天秤に固定される天秤式錘等の釣用錘であり、特に、根掛りの可能性が高い岩礁体等の根周りや漁礁等の障害物周り、更には、海藻類周り等に生息する魚をねらう際に用いるものである。
又、本発明に係る釣用錘は、上部材がラインや連結具に連結される連結側であり、下部材が根掛りした際に、ラインを引き上げることで、上部材が下部材から抜けて両部材が分割され、分割された下部材は、更に、複数の分割部材に分割される。
そして、複数の分割部材は、上部材が引き上げられることにより、夫々の分割部材に作用する連結部材の付勢力と、連結部材を介して分割部材を引っ張ろうとする上部材の引っ張り力により、互いに左右方向にずれたり、上下方向にずれたりして根掛りから脱出する。
更には、根掛り具合が浅い側の分割部材が根掛りから脱出した際には、当該分割部材が根掛りしていた部位に他方の分割部材が移動し得る空間が形成され、上部材が引き上げられることにより、他方の各分割部材に作用する連結部材の付勢力と、連結部材を介して他方の各分割部材を引っ張ろうとする上部材の引っ張り力とにより、当該空間に他方の各分割部材のいずれかが移動することで根掛りから脱出する。
【０００７】
すなわち、本発明の釣用錘は、下部材が根掛りした際において、その機能を発揮するものであるため、可能な限り下部材が根掛るようにすることが必要になる。
そのため、例えば、第２発明のように、下部材に最大径部を有し、当該最大径部から上部材の先端まで先細り形状となるように形成することが好ましい。
【０００８】
前記下部材における最大径部の位置は任意であるが、仕掛け投入時において、釣用錘がその下部材の下向き状態を確実に保持し、且つ揺れや回転等による沈降速度の低下やライン及び仕掛けの絡み等の発生を防止するためには、第３発明のように、下部材の上下方向の中途部が好ましい。
【０００９】
又、前記上部材と下部材との係合形態の具体的な形態として、例えば、第４発明のように、上部材の下端に、下部材を上下方向にのみ係脱し、径方向には係脱不能に保持する係合部材を有し、前記各分割部材には、当該各分割部材を合わせて下部材に形成されるとき、前記係合部材に適合状に係合する形状の係合溝を形成してなる形態が挙げられる。
【００１０】
又、前記上部材に対する下部材の係合状態を保持する付勢力を作用させる具体的な形態としては、例えば、第５発明のように上部材と各分割部材とに亘って引っ張りばねを掛け渡すように配した形態が挙げられる。
この第５発明の場合、引っ張りばねが海底において根掛りしないようするという観点から、第６発明のように、各分割部材、又は各分割部材と上部材の双方に、引っ張りばねが収納される収納溝を設けることが好ましい。
【発明の効果】
【００１１】
本発明によれば、下記の優れた効果が期待できる。
第１発明によれば、上部材と下部材との係合状態は連結部材の付勢力によって保持され、釣用錘の着底後に下部材が根掛りした際において仕掛けを引き上げると、上部材が連結部材の付勢力に抗して下部材から引き抜かれることにより、上部材と下部材との係合が解除され、下部材が複数の分割部材として分割される。
そして、分割された各分割部材は、上部材が引き上げられることにより夫々の分割部材に作用する連結部材の付勢力と、連結部材を介して分割部材を引っ張ろうとする上部材の引っ張り力により、互いに左右方向にずれたり、上下方向にずれたりして根掛りから脱出し、更に、根掛り具合が浅い側の分割部材が根掛りから脱出した際には、当該分割部材が根掛りしていた部位に他方の分割部材が移動し得る空間が形成され、上部材が引き上げられることにより、他方の各分割部材に作用する連結部材の付勢力と、連結部材を介して他方の各分割部材を引っ張ろうとする上部材の引っ張り力とにより、当該空間に他方の各分割部材のいずれかが移動することで根掛りから脱出する。
したがって、根掛りをした釣用錘の回収を容易、且つ確実に行える釣用錘を提供できる。
【００１２】
又、第２発明によれば、根掛りの際に下部材を根掛りさせる確率を向上させることができるので、根掛りから脱出させる確実性を高くできる。
又、第３発明によれば、仕掛け投入時において、釣用錘がその下部材の下向き状態を確実に保持し、且つ揺れや回転等による沈降速度の低下やライン及び仕掛けの絡み等の発生を防止できる。
【００１３】
又、第４発明によれば、前記上部材と下部材との係合形態を具体的に提供できる。
又、第５発明によれば、前記上部材に対する下部材の係合状態を保持する付勢力を作用させる形態を具体的に提供できる。
又、第６発明によれば、引っ張りばねを海底において根掛りさせないようにできる。  
【発明を実施するための最良の形態】
【００１４】
以下、本発明に係る釣用錘を実施するための最良の形態を図面に基づいて説明すると、本形態の釣用錘１は、鉛材を用いて所定形状に形成され、ラインや連結具、あるいは天秤に対して着脱可能に連結されるタイプのものである。
【００１５】
前記釣用錘１は、前記ラインや連結具、あるいは天秤に対して連結する上部材２と、当該上部材に係脱可能に係合する下部材３と、これら両部材の係合状態を保持する連結部材４とから構成されている。
【００１６】
上部材２は、略三角錐形状を呈する上部材本体２１と、当該上部材本体２１の下端面部２１Ａの中心部から下方へ向けて上部材本体２１と一体状に設けられた係合部材２２と、上部材本体２１の上端面部２１Ｂの中心部に設けられた連結環部材２３とから構成されている。
前記係合部材２２は平面視において(図３参照)、２つの略台形の上辺部同士を上部材２の軸線上で正対させて連結したような略鼓形状を呈し、側面視において下部材３の軸線方向の略中央部に至る程度の長さとした棒状に形成されている。
前記連結環部材２３は、略楕円リング状の金属製のものであり、上部材本体２１の上端面部２１Ｂに対して、溶接又は埋め込み固定等の固定手段により固定されている。
【００１７】
下部材３は、図面上、径方向に沿って分割される２個の分割部材３Ａ，３Ｂ(以下、左側分割部材３Ａ，右側分割部材３Ｂという)から構成されている。
又、下部材３は、正面視において、上下方向の略中央部を最大径部３１とし、当該最大径部３１を境に、上端面部３２Ａ及び下端面部３２Ｂに向かって先細り状に形成された側面視略上下方向に長い縦長六角形を呈している。
又、上端面部３２Ａの径と、前記上部材本体２１の下端面部２１Ａの径と同径とするとともに、前記最大径部３１から上端面部３２Ａに向かう側面の傾斜面の傾斜角を、前記上部材本体２１の側面の傾斜面の傾斜角と同角度にすることにより、前記最大径部３１から上部材本体２１の上端面部２１Ｂに至る側面が段差なくフラットな形状にされている。  
【００１８】
前記左側分割部材３Ａと右側分割部材３Ｂは、前記形状とされる下部材３を軸線に沿って左右に半割した形状を呈するものである。
又、左側分割部材３Ａと右側分割部材３Ｂは、共に、外側面３３Ａ，３３Ｂに前記連結部材４が収納される収納溝４１が形成され、対向面３４Ａ，３４Ｂには、前記係合部材２２が適合状に係合する係合溝２４Ａ，２４Ｂが形成されている。
前記収納溝４１は、左側分割部材３Ａと右側分割部材３Ｂ共に、上端面部３２Ａから下端面部３２Ｂ近くまで形成され、その深さが、前記連結部材４における後述する引っ張りばね部４３が外側面３３Ａ，３３Ｂから突出しない程度にされている。
【００１９】
前記係合溝２４Ａ，２４Ｂは、左側分割部材３Ａと右側分割部材３Ｂ共に、平面視において前記係合部材２２における平面形状である略鼓形状を構成する略台形状と適合する略代形状を呈し、側面視において上端面部３２Ａから下端面部３２Ｂ方向に沿って係合部材２２の長さと同長として形成されている。
この係合溝２４Ａ，２４Ｂに対して前記係合部材２２の係脱は、係合部材２２の下端に係合溝２４Ａ，２４Ｂの上端開放部２４１Ａ，２４１Ｂを位置させるとともに、前記略台形状の方向を同方向にして対面させて、上部材２と下部材３とが近接する方向にスライドさせることで係合し、上部材２と下部材３とが離間する方向にスライドさせることで係合解除する。
【００２０】
前記連結部材４は、前記上部材２における連結環部材２３と、収納溝４１の最下端に亘って配設されている。
この連結部材４は、前記上部材２に沿う部位を直線状の線状部４２とし、収納溝４１に収納される部位を前述の引っ張りばね部４３として形成されている。
前記引っ張りばね部４３は、左側分割部材３Ａと右側分割部材３Ｂと上部材２との係合状態を保持する方向に付勢力を作用させるようにある程度伸張させた状態にされている。
【００２１】
以下、本形態の釣用錘１の根掛り脱出動作を説明すると、下部材３が根掛りした際に、釣用錘１を回収する方向に引き上げると、上部材２の連結部材４の付勢力に抗する引き上げ動作に伴って、前記係合部材２２が係合溝２４Ａ，２４Ｂから引き抜かれることによって、上部材２と下部材３との係合状態が解除される。
係合状態が解除された下部材３は、左側分割部材３Ａと右側分割部材３Ｂとに分割され、更に、上部材２が引き上げられることにより、左側分割部材３Ａと右側分割部材３Ｂに作用する連結部材４の付勢力と、連結部材４を介して左側分割部材３Ａと右側分割部材３Ｂを引っ張ろうとする上部材２の引っ張り力により、互いに左右方向にずれたり、上下方向にずれたりして根掛りから脱出する。
【００２２】
又、左側分割部材３Ａと右側分割部材３Ｂの内、根掛り具合が浅い側の分割部材が根掛りから脱出した際には、当該分割部材が根掛りしていた部位に他方の分割部材が移動し得る空間が形成され、更に上部材２が引き上げられることにより、他方の分割部材に作用する連結部材４の付勢力と、連結部材４を介して他方の分割部材を引っ張ろうとする上部材２の引っ張り力とにより、当該空間に他方の各分割部材のいずれかが移動することで根掛りから脱出する。
【００２３】
なお、本発明は、例示した実施の形態に限定するものでは無く、特許請求の範囲の各項に記載された内容から逸脱しない範囲の構成による実施が可能である。
例えば、例示した形態の下部材３は、左側分割部材３Ａと右側分割部材３Ｂとの２個の分割部材で構成された形態としたものであるが、本発明では、３個以上の分割部材からなる下部材としても良い(図示せず)。
又、例示した形態の下部材３は、軸線方向の略中央部に最大径部３１を位置させた形態としたものであるが、本発明では、最大径部を例示された形態の最大径部の位置を上方寄り、下方寄りにしても良い。
【図面の簡単な説明】
【００２４】
【図１】本発明に係る釣用錘の一例を示す一部切欠正面図。
【図２】図１の側面図。
【図３】図２の(３)−(３)線断面図。
【図４】係合解除状態を示す正面図。
【符号の説明】
【００２５】
１：釣用錘
２：上部材
３：下部材
４：連結部材
２２：係合部材
２４Ａ：係合溝
２４Ｂ：係合溝
３Ａ：左側分割部材(分割部材)
３Ｂ：右側分割部材(分割部材)
３１：最大径部
４１：収納溝
４３：引っ張りばね部
【図１】
2007282540.tif 000003
【図２】
2007282540.tif 000004
【図３】
2007282540.tif 000005
【図４】
2007282540.tif 000006